(57)【特許請求の範囲】
【請求項１】
カップが収納される外筒体と、この外筒体のカップ取出口側に嵌合される内筒体と、上記外筒体に配設されたバネ体と、から構成され、上記内筒体の胴部周方向に沿って所要間隔毎にスリットを開設し、かつ、前記外筒体の胴部周方向に沿ってスリットを所要間隔毎に開設し、該外筒体の各スリットは、内筒体が外筒体に回転自在に嵌装されたときに内筒体の各スリットと同心となる位置に開設されていると共に、上記外筒体の外周面にはバネ体であるエンドレス状のスプリングを上記各スリットに嵌合するように巻装し、上記内筒体を回転させることで、上記各スリットに嵌合されているスプリングの内筒体内方への突出量を調整できるように構成されてなるカップディスペンサーにおいて、上記外筒体を金属材で成形すると共に、内筒体を合成樹脂で一体形成し、かつ、この内筒体の胴部周方向に沿って、上記外筒体に取り付けられたバネ係止体の自由端部が係脱自在に係合するカップサイズ溝を複数条刻設する一方、上記外筒体のカップ取出口側フランジには、複数種類のカップサイズを表わす表示が形成されていることを特徴とするカップディスペンサー。
【請求項２】
前記合成樹脂で成形された内筒体のカップ取出口側フランジ部の外周には、滑り止め用の凹凸が形成されていることを特徴とする請求項１に記載のカップディスペンサー。
【発明の詳細な説明】
【０００１】
【発明の属する技術分野】
この発明は、紙カップや合成樹脂製カップ等のカップを、例えば、１個づつ取り出すためのカップディスペンサーの改良に関する。
【０００２】
【従来技術】
周知のように、コーヒーや紅茶、ジュース類、スープ類、アイスクリーム等の冷菓等が注がれ、或は、収納されるカップは、例えば、図６と図７に示すようなキャビネットＫの前面に配設されたカップディスペンサーＤに収納され、使用の都度、１個づつ取り出すことができるようにセットされている。
【０００３】
ところで、この従来のカップディスペンサーＤは、図８と図９に示すように、カップＣが収納される筒体１と、この筒体１のカップ取出口近傍であって周方向に沿って所要間隔毎（図示例では１２０度間隔）に突設された複数の爪片２と、から構成されており、これら各爪片２は、カップＣの膨出口部３を係止保持するように構成されていた。尚、図中符号４は積層されたカップＣを取出口方向にスプリング５の付勢力により押圧するカップ押えを、符号６は筒体１の取付用鍔を、符号７は、キャビネットＫ内に配設された支持具８に筒体１を固定するロッド９を有する蓋体である。
【０００４】
一方、上記カップＣは、収納する飲料等の種類や量及びホット・コールドの別によってカップサイズや容量等が多種であるため、これらを収納する筒体１の大きさもこれに伴い多種類となる。
【０００５】
しかしながら、上記従来のカップディスペンサーＤは、カップＣを係止保持する爪片２が筒体１の内方に向かって突出形成されている固定方式であるため、カップサイズにあった筒体１を別々に用意しなければならない、という非常に非効率的な問題を有していると共に、夏・冬では提供される飲料の種類も異なりカップＣの交換が必要となることから、その都度、提供される飲料に適合するカップが収納される筒体１をその都度交換しなければならず、かかる作業が非常に煩雑である、という問題を有していた。
【０００６】
このような従来のカップディスペンサ−Ｄの問題を解決するため、本出願人は、収納されるカップサイズに適合するように係止手段をアジャスタブルに調整することで、筒体をカップサイズに対応させて用意し交換する心配が全くない使い勝手に優れ、効率性にも優れたカップディスペンサーを既に提案している。
【０００７】
この先に提案されたカップディスペンサ−１０は、図１０乃至図１２に示すように、内筒体１１と、この内筒部１１の胴部１２が回転自在に嵌装される外筒体２０と、から構成されている。尚、上記外筒体２０内に収納される積層されたカップは、図示しないスプリングの付勢力によって常態において取出口方向に押圧付勢されている。また、上記外筒体２０のカップ取出口とは反対側の端部は、特に図示はしないが、従来のカップディスペンサーと同様、キャビネット内に配設された支持具に筒体を固定するロッドが突設された蓋体によって閉塞されている。
【０００８】
そして、上記内筒体１１は、その胴部１２の周方向に沿って所要間隔毎、例えば、図示例では１２０度毎にスリット１３Ａ，１３Ｂ，１３Ｃが開設されていると共に、上記胴部１２のスリット開設部位より奥行側には、突起１４が所要間隔毎に、図示例では１２０度毎に突設されている。尚、図中符号１５Ａはスリット１３Ａとスリット１３Ｃの間の堰部を、１５Ｂはスリット１３Ａとスリット１３Ｂの間の堰部を、１５Ｃはスリット１３Ｂとスリット１３Ｃの間の堰部を夫々示している。
【０００９】
一方、上記外筒体２０の取出口側には、胴部周方向に沿って所要間隔毎、図示例では１２０度毎にスリット２１Ａ，２１Ｂ，２１Ｃが開設されていると共に、上記胴部のスリット開設部位より奥行側には、前記内筒体１１の突起１４がスライド自在に嵌合されるガイド溝２２が所要間隔毎に、本形態例では１２０度毎に開設されている。尚、図中符号２３は、止めねじ２４を螺合保持する係止筒を示しており、上記止めねじ２４を固定方向に締めることで、口径調整が終了した内筒体１１を回転しないように固定し、内筒体１１と外筒体２０とを一体化することができる。尚、図中符号２５Ａはスリット２１Ａとスリット２１Ｃの間の堰部を、２５Ｂはスリット２１Ａとスリット２１Ｂの間の堰部を、２５Ｃはスリット２１Ｂとスリット２１Ｃの間の堰部を夫々示している。
【００１０】
このように構成された内筒体１１は、外筒体２０に回転自在に嵌装されて組み立てられている。このとき、内筒体１１のスリット１３Ａ，１３Ｂ，１３Ｃと外筒体２０のスリット２１Ａ，２１Ｂ，２１Ｃは同心となり、また、内筒体１１の突起１４は外筒体２０のガイド溝２２にスライド自在に嵌装されており、内筒体１１の抜け出し方向への移動が規制されている。
【００１１】
そして、このように構成された外筒体２０の外周面には、リング状に連結されたスプリングＳが巻装されている。このとき、このスプリングＳは、上記スリット１３Ａと２１Ａ，１３Ｂと２１Ｂ及び１３Ｃと２１Ｃに嵌合され、みだりに脱落しないように巻装されている。
【００１２】
そして、このように組み立てられた先の提案に係るカップディスペンサー１０にあっては、先ず、図１２に示す状態、即ち、内筒体１１の突起１４が外筒体２０のガイド溝２２の上端部側にあるときには、上記内筒体１１の堰部１５Ａと外筒体２０の堰部２５Ａが、内筒体１１の堰部１５Ｂと外筒体２０の堰部２５Ｂが、内筒体１１の堰部１５Ｃと外筒体２０の堰部２５Ｃが夫々重合した状態にセットされており、その結果、前記スプリングＳは略正三角形状に巻装された状態となる。
【００１３】
このため、内筒体１１の中心から略三角形状のスプリングＳの一辺までの垂線の長さと同じ半径ｒ1 の口径を有するカップＣ1 が収納可能となる。
【００１４】
次に、図１３に示す状態、即ち、内筒体１１を反時計方向に回転させ、該内筒体１１の突起１４が外筒体２０のガイド溝２２の中程にセットしたときには、上記内筒体１１の堰部１５Ａ，１５Ｂ，１５Ｃが外筒体２０の堰部２５Ａ，２５Ｂ，２５Ｃから夫々略３０度離れるため、スプリングＳの形状が変則六角形状に変形するため、内筒体１１の中心からスプリングＳの一辺までの垂線の長さが半径ｒ2 まで拡大するのでカップＣ1 より口径が大きなカップＣ2 が収納可能となる。
【００１５】
さらに、図１４に示す状態、即ち、内筒体１１をさらに反時計方向に回転させ、該内筒体１１の突起１４が外筒体２０のガイド溝２２の下端部側にセットしたときには、上記内筒体１１の堰部１５Ａ，１５Ｂ，１５Ｃが外筒体２０の堰部２５Ａ，２５Ｂ，２５Ｃから夫々略６０度離れるため、スプリングＳの形状が略正六角形状に変形するため、内筒体１１の中心からスプリングＳの一辺までの垂線の長さが半径ｒ3 まで拡大するのでカップＣ2 より口径が大きなカップＣ3 が収納可能となる。
【００１６】
このように、先の提案に係るカップディスペンサー１０にあっては、内筒体１１を回転操作させるだけで、収納するカップの口径サイズを容易に調整することができる。尚、先の提案では、図１５に示すように、スプリングＳを、細径のコイルスプリングで２本（ＳA ，ＳB ）形成し、これら２本のスプリングＳA ，ＳB を重ねた状態で前記スリット１３Ａと２１Ａ，１３Ｂと２１Ｂ及び１３Ｃと２１Ｃに嵌合し巻装することで、必ず一方のスプリングＳA またはＳB がカップＣの開口縁に引っ掛かるように構成することで、カップＣが重なった状態で取り出されるのを確実に防止するように構成したものも提案している。
【００１７】
【従来の技術の課題】
しかしながら、先の提案に係るカップディスペンサ−１０にあっては、内筒体１０と外筒体２０とが共にステンレス等の金属材で形成されているため、コスト高となり、また、スプリングＳがスリット１３Ａと２１Ａ，１３Ｂと２１Ｂ及び１３Ｃと２１Ｃの周縁部に噛み込まれ易いと共に、内筒体１０を回転操作するときに滑り易く、その結果、カップサイズの変更作業をスム−ズに行い難く、しかも、現在のセッティング状態が何サイズにセットされているかを瞬時に判断するのが難しく、使い勝手が悪い、という不具合を有していた。
【００１８】
この発明は、かかる現状に鑑み創案されたものであって、その目的とするところは、スプリングの噛み込みを有効に防止して製造コストを低減することができると共に、カップサイズのセッティング状態を瞬時に判別することが容易な使い勝手に優れたカップディスペンサーを提供しようとするものである。
【００１９】
【課題を解決するための手段】
上記目的を達成するため、この発明にあっては、カップが収納される外筒体と、この外筒体のカップ取出口側に嵌合される内筒体と、上記外筒体に配設されたバネ体と、から構成され、上記内筒体の胴部周方向に沿って所要間隔毎にスリットを開設し、かつ、前記外筒体の胴部周方向に沿ってスリットを所要間隔毎に開設し、該外筒体の各スリットは、内筒体が外筒体に回転自在に嵌装されたときに内筒体の各スリットと同心となる位置に開設されていると共に、上記外筒体の外周面にはバネ体であるエンドレス状のスプリングを上記各スリットに嵌合するように巻装し、上記内筒体を回転させることで、上記各スリットに嵌合されているスプリングの内筒体内方への突出量を調整できるように構成されてなるカップディスペンサーを技術的前提とし、上記外筒体を金属材で成形すると共に、内筒体を合成樹脂で一体形成し、かつ、この内筒体の胴部周方向に沿って、上記外筒体に取り付けられたバネ係止体の自由端部が係脱自在に係合するカップサイズ溝を複数条刻設する一方、上記外筒体のカップ取出口側フランジには、複数種類のカップサイズを表わす表示を形成したことを特徴とするものである。
【００２０】
そして、この発明にあっては、上記合成樹脂で成形された内筒体のカップ取出口側フランジ部の外周に、滑り止め用の凹凸を形成して内筒体の回転操作の時に滑らないように構成するのが望ましい。
【００２１】
【発明の実施の形態】
以下、添付図面に示す実施の一形態例に基づき、この発明を詳細に説明する。尚、上記形態例中、本出願人が先に提案した構成部分と同一の構成については、図１０乃至図１５で用いた符号と同一の符号を用いてその詳細な説明をここでは省略する。
【００２２】
図１乃至図５は、この発明の実施の一形態例に係るカップディスペンサー５０を示しており、この形態例に係るカップディスペンサー５０は、ステンレス等の金属材で形成されカップが収納される外筒体２０と、この外筒体２０のカップ取出口側に嵌合される合成樹脂で形成された内筒体５１と、上記外筒体に配設された２条のバネ体Ｓ，Ｓと、から構成されている。
【００２３】
そして、上記内筒体５１の胴部５２の周方向には、所要間隔毎にスリット５３Ａ，５３Ｂ，５３Ｃが開設されており、また、上記外筒体２０の胴部周方向にもスリット２１Ａ，２１Ｂ，２１Ｃが所要間隔毎に開設されており、該外筒体２０の各スリット２１Ａ，２１Ｂ，２１Ｃは、内筒体５１が外筒体２０に回転自在に嵌装されたときに内筒体５１の各スリット５３Ａ，５３Ｂ，５３Ｃと同心となる位置に開設されていると共に、上記外筒体２０の外周面にはバネ体であるエンドレス状のスプリングＳ，Ｓが上記各スリット２１Ａ，２１Ｂ，２１Ｃ，５３Ａ，５３Ｂ，５３Ｃに嵌合され、みだりに脱落しないように巻装されている。
【００２４】
また、上記合成樹脂で成形された内筒体５１のカップ取出口側フランジ部５６の外周には、滑り止め用の凹凸５７が形成されており、内筒体５１の回転操作の時に滑らないように構成されている。
【００２５】
従って、上記凹凸５７を指掛りとして内筒体５１を図の矢印で示す一定方向に回転させることで、上記各スリット２１Ａ，２１Ｂ，２１Ｃ，５３Ａ，５３Ｂ，５３Ｃに嵌合されているスプリングＳ，Ｓの内筒体５１内方への突出量を調整できる。
【００２６】
また、上記内筒体５１の胴部５２の周方向には、上記外筒体２０に一端部が固着されたバネ係止体６０の自由端部６１が係脱自在に係合するカップサイズ溝５４Ａ，５４Ｂ，５４Ｃ，５４Ｄが所要間隔毎に刻設されている。勿論、このカップサイズ溝数や形成間隔は、収容しようとするカップのサイズに対応させて適宜形成することができる。尚、図中符号５５Ａはスリット５３Ａとスリット５３Ｃの間の堰部を、５５Ｂはスリット５３Ａとスリット５３Ｂの間の堰部を、５５Ｃはスリット５３Ｂとスリット５３Ｃの間の堰部を夫々示している。また、これらの堰部５５Ａ，５５Ｂ，５５Ｃに対応する外筒体２０の堰部は、スリット２１Ａとスリット２１Ｃの間の堰部２５Ａと、スリット２１Ａとスリット２１Ｂの間の堰部２５Ｂと、スリット２１Ｂとスリット２１Ｃの間の堰部２５Ｃと、で構成されている。
【００２７】
さらに、上記外筒体２０のカップ取出口側から外方に拡径形成されたフランジ２６には、例えば、７オンス，１０オンス，１２オンス，１４・１８オンス等の複数種類のカップサイズを表わす表示２７が上記カップサイズ溝５４Ａ，５４Ｂ，５４Ｃ，５４Ｄとバネ係止体６０との係合位置に対応させて形成されている。勿論、この表示も収容しようとするカップサイズに対応させて、例えば、印刷して表示し、或は、刻印して表示してもよい。
【００２８】
尚、上記外筒体２０内に収納される積層されたカップは、図４に示すスプリングＦの付勢力によって常態において取出口方向に押圧付勢されている。また、上記外筒体２０のカップ取出口とは反対側の端部は、特に図示はしないが、従来のカップディスペンサーと同様、キャビネット内に配設された支持具に筒体を固定するロッドが突設された蓋体によって閉塞されている。
【００２９】
この形態例に係るカップディスペンサ−５０は、以上説明したように、内筒体５１を合成樹脂で成形したので、成形が容易となり製造コストを大幅に低減することができる。
【００３０】
また、内筒体５１を合成樹脂で成形したので、カップサイズ溝５４Ａ，５４Ｂ，５４Ｃ，５４ＤにスプリングＳ，Ｓが噛み込むことがなく、その結果、サイズ変更を小さな力で簡単に行うことができる。
【００３１】
さらに、この形態例では、内筒体５１のカップ取出口側フランジ部５６の外周に滑り止め用の凹凸５７を形成したので、内筒体５１の回転操作を安全に、かつ、容易に行うことができる。
【００３２】
【発明の効果】
この発明に係るカップディスペンサーは、以上説明したように構成されているので、スプリングの噛み込みを有効に防止して製造コストを低減することができると共に、カップサイズのセッティング状態を瞬時に判別することが容易であるため使い勝手がよい等、幾多の優れた効果を奏する。
【図面の簡単な説明】
【図１】この発明の実施の一形態例に係るカップディスペンサーの構成を示す斜視図である。
【図２】同カップディスペンサーの分解斜視図である。
【図３】同カップディスペンサーの正面図である。
【図４】同カップディスペンサーを構成する内筒体と外筒体の嵌合状態を示す断面図である。
【図５】同カップディスペンサーを構成する内筒体と外筒体との係合状態を示す要部拡大断面図である。
【図６】カップディスペンサーを有するキャビネットの分解斜視図である。
【図７】同キャビネットの側面図である。
【図８】カップディスペンサーの全体斜視図である。
【図９】従来のカップディスペンサーの構成を示す要部半截断面図である。
【図１０】本出願人が先に提案したカップディスペンサーの構成を示す斜視図である。
【図１１】同カップディスペンサーの分解斜視図である。
【図１２】同カップディスペンサーを構成する内筒体と外筒体及びスプリングの関係を示す説明図である。
【図１３】同カップディスペンサーを構成する内筒体を回転操作したときの内・外筒体及びスプリングの状態を示す説明図である。
【図１４】同カップディスペンサーを構成する内筒体を回転操作したときの内・外筒体及びスプリングの他の状態を示す説明図である。
【図１５】同カップディスペンサーのスプリングを２条に形成した状態を示す要部断面斜視図である。
【符号の説明】
Ｃ  カップ
Ｓ  スプリング
２０  外筒体
２１Ａ，２１Ｂ，２１Ｃ  スリット
２７  表示
５０  カップディスペンサー
５１  内筒体
５３Ａ，５３Ｂ，５３Ｃ  スリット
５４Ａ，５４Ｂ，５４Ｃ  カップサイズ溝
５６  カップ取出口側フランジ部
５７  凹凸
６０  バネ係止体
【図１】
0003953651.tif 000002
【図２】
0003953651.tif 000003
【図３】
0003953651.tif 000004
【図４】
0003953651.tif 000005
【図５】
0003953651.tif 000006
【図６】
0003953651.tif 000007
【図７】
0003953651.tif 000008
【図８】
0003953651.tif 000009
【図９】
0003953651.tif 000010
【図１０】
0003953651.tif 000011
【図１１】
0003953651.tif 000012
【図１２】
0003953651.tif 000013
【図１３】
0003953651.tif 000014
【図１４】
0003953651.tif 000015
【図１５】
0003953651.tif 000016